(57)【要約】【課題】部屋の隅々まで取り回しやすく、家具等の設置を拘束しない電気掃除機を提供する。【解決手段】電気掃除機１は、天井面Ｃに取り付けられた本体部２を備える。本体部２は、天井面Ｃに着脱自在に固定された取付部１５と、取付部１５の略中央に設けられ、電動送風機２４が収容された電動送風機収容部１６と、電動送風機収容部１６の周囲を取り囲んで設けられた照明装置６とを備える。【選択図】  図２
2009297293.tif 000002
【特許請求の範囲】
【請求項１】
部屋の被掃除面に配置されて、空気とともに塵埃を吸い込む吸込口体と、
前記吸込口体に接続され、前記吸込口体に吸い込まれた含塵空気が案内される延長管と、
前記延長管に接続され、前記含塵空気から塵埃が分離されるとともに集塵される集塵部と、
前記集塵部に接続され、前記含塵空気から分離された空気が案内される集塵ホースと、
前記部屋の天井面に取り付けられ、前記集塵ホースの接続口を有する本体部と、
前記接続口に連通され、前記集塵ホースに案内される空気を吸込む電動送風機と、
前記本体部の略中央に設けられ、前記本体部の下中央部に前記接続口を配置し、前記電動送風機が収容された収容部と、
前記収容部の周囲に設けられた照明装置とを備えたことを特徴とする電気掃除機。
【請求項２】
前記収容部に設けられ、前記天井面の上方に突出させて形成され、前記電動送風機の排気口と天井裏とを連通させる本体排気口を有する排気管部を備えたことを特徴とする請求項１に記載の電気掃除機。
【請求項３】
前記本体排気口に設けられた光触媒フィルタを備えたことを特徴とする請求項１または２に記載の電気掃除機。
【請求項４】
前記照明装置の照明灯を覆うセードと、
前記照明装置のセードに覆われた前記電動送風機に電力を供給する配線と、
前記照明装置のセードに覆われた前記照明灯に電力を供給する配線とを備えたこと特徴とする請求項１から３のいずれか１項に記載の電気掃除機。
【発明の詳細な説明】
【技術分野】
【０００１】
本発明は、照明装置を備えた電気掃除機に関する。
【背景技術】
【０００２】
特許文献１に記載の電気掃除機は、部屋の床面または壁面に組み込まれた電動送風機および接続口を備える。このような電気掃除機はセントラルクリーナと呼ばれる。
【０００３】
他方、一般的に、従来の電気掃除機は、床面などの被掃除面を走行可能な掃除機本体を備える。掃除機本体には電動送風機と、この電動送風機に連通された塵埃分離集塵装置とが収容される。
【特許文献１】特開平５−２３２６７号公報
【発明の開示】
【発明が解決しようとする課題】
【０００４】
従来のセントラルクリーナについて、部屋の壁面に組み込まれたセントラルクリーナの場合には、部屋のいずれかの壁面に接続口が設けられる。この接続口には、集塵ホースと、延長管と、吸込口体とが順次に接続される。したがって、部屋の壁面に組み込まれたセントラルクリーナでは、接続口が設けられた壁面から最も遠方となる壁面の近くの床面を掃除するためには、集塵ホースの長さを十分に確保する必要があった。しかしながら、集塵ホースを長くすると、部屋の他の部分を掃除するときには取り回しが悪くなる虞があった。
【０００５】
一方、部屋の床面に組み込まれたセントラルクリーナの場合には、部屋の美観を確保するためにいずれかの壁際または部屋の角に配置されるため、部屋の壁面に組み込まれたセントラルクリーナと同じく、取り回しが悪くなる虞があった。
【０００６】
また、壁面や床面に組み込まれたセントラルクリーナでは、接続口の近くの壁面や床面には家具等を設置できなかった。
【０００７】
他方、被掃除面を走行可能な掃除機本体を備えた電気掃除機の場合には、部屋全体を掃除するときに、掃除機本体を部屋内で走行させなければならない。しかしながら、掃除機本体は比較的重量が大きい電動送風機などを収容しているので、走行の際の取り回しが良好でない。また、掃除機本体は、商用電力を供給するコンセントに接続された電源コードを備えるため、取り回しが悪くなる。さらに、集塵ホースは、掃除機本体と手元操作管とを電気的に接続する配線を備えるため、比較的重量が大きく、操作性が良好でない。
【０００８】
本発明は、部屋の隅々まで取り回しやすく、家具等の設置を拘束しない電気掃除機を提供することを目的とする。
【課題を解決するための手段】
【０００９】
前記の課題を解決するため本発明では、部屋の被掃除面に配置されて、空気とともに塵埃を吸い込む吸込口体と、前記吸込口体に接続され、前記吸込口体に吸い込まれた含塵空気が案内される延長管と、前記延長管に接続され、前記含塵空気から塵埃が分離されるとともに集塵される集塵部と、前記集塵部に接続され、前記含塵空気から分離された空気が案内される集塵ホースと、前記部屋の天井面に取り付けられ、前記集塵ホースの接続口を有する本体部と、前記接続口に連通され、前記集塵ホースに案内される空気を吸込む電動送風機と、前記本体部の略中央に設けられ、前記本体部の下中央部に前記接続口を配置し、前記電動送風機が収容された収容部と、前記収容部の周囲に設けられた照明装置とを備えたことを特徴とする。
【発明の効果】
【００１０】
本発明によれば、部屋の隅々まで取り回しやすく、家具等の設置を拘束しない電気掃除機を提供できる。
【発明を実施するための最良の形態】
【００１１】
本発明に係る電気掃除機の実施形態について、図１から図３を参照して説明する。
【００１２】
図１は、本発明に係る電気掃除機が配置された被掃除部を示した斜視図である。
【００１３】
図１に示すように、電気掃除機１は、被掃除部である部屋Ｒの天井面Ｃに配置される。天井面Ｃは平坦状の面である。
【００１４】
電気掃除機１は、本体部２と、集塵ホース３と、集塵ユニット４とを備える。
【００１５】
本体部２は、天井面Ｃに取り付けられる。本体部２は照明装置６を備える。本体部２の下中央部には集塵ホース３の一端が着脱自在に接続された接続口２ａが形成される。部屋Ｒの所要の位置、例えば壁面Ｗには、照明装置６の電源供給を制御する照明用操作部７が設けられる。
【００１６】
集塵ホース３は可撓性を有し、湾曲可能な細長略円筒状に形成される。集塵ホース３の一端は接続口２ａに着脱可能に接続されて、本体部２の内部に連通される。
【００１７】
集塵ユニット４は、集塵部９と、把持部１０と、操作部１１と、延長管１２と、吸込口体１３とを備える。
【００１８】
集塵部９は、吸込口体１３から吸い込まれた含塵空気から塵埃を分離して捕集する。集塵部９の内部には、例えば紙パックや、遠心分離装置や、直進(慣性)分離装置などを備えた塵埃分離集塵装置（図示省略）が収容される。集塵部９の一端は集塵ホース３の他端に着脱自在に接続されて、集塵ホース３を介して本体部２の内部に連通される。
【００１９】
把持部１０は電気掃除機１の使用者が把持して電気掃除機１を操作するものである。把持部１０は集塵部９から突設される。把持部１０は湾曲させて形成される。
【００２０】
操作部１１は把持部１０に設けられる。操作部１１は本体部２および吸込口体１３の運転状態を制御する信号の送信装置である。送信装置の通信方法には赤外線通信や無線通信を用いることができる。操作部１１が電気掃除機１の使用者に操作されると、電気掃除機１は複数の駆動モードに設定される。
【００２１】
延長管１２は、伸縮可能な細長略円筒状に形成される。延長管１２の一端は集塵部９の他端に着脱可能に接続されて、集塵部９および集塵ホース３を介して本体部２の内部に連通される。
【００２２】
吸込口体１３は、部屋Ｒの床面である被掃除面Ｆに配置される。吸込口体１３は、延長管１２の一端に着脱可能に接続されて、延長管１２、集塵部９および集塵ホース３を介して本体部２の内部に連通される。
【００２３】
電気掃除機１を運転すると、本体部２に負圧が作用する。この負圧は接続口２ａから集塵ホース３と集塵部９と延長管１２とを経て吸込口体１３に作用する。そうすると、電気掃除機１は吸込口体１３から空気とともに床などの被掃除面Ｆに溜まった塵埃を吸い込んで被掃除面Ｆを掃除する。吸込口体１３に吸い込まれた含塵空気は、延長管１２に案内されて集塵部９に吸い込まれる。集塵部９に吸い込まれた含塵空気は、塵埃分離集塵装置によって空気と塵埃とに分離される。分離された塵埃は塵埃分離集塵装置に集塵される。他方、分離された空気は、集塵ホース３を案内されて本体部２に吸い込まれる。本体部２に吸い込まれた空気は本体部２から排気される。
【００２４】
図２は、本発明に係る電気掃除機の本体部を示す縦断面図である。
【００２５】
図２に示すように、本体部２は、天井面Ｃに着脱自在に固定された取付部１５と、取付部１５の略中央に設けられた電動送風機収容部１６と、電動送風機収容部１６の周囲を取り囲んで設けられた照明装置６とを備える。
【００２６】
取付部１５は、天井面Ｃに略平行な円盤状の水平板部１７と、水平板部１７の周縁部から下方に突設された円筒部１８と、円筒部１８の外周面に設けられた係合部１９とを備える。
【００２７】
水平板部１７の下面は照明装置６の反射板である。水平板部１７は照明配線用穴２０を備える。照明配線用穴２０には照明装置６に電力を供給する照明用配線２１が挿通される。
【００２８】
係合部１９は、本体部２を天井面Ｃに着脱自在に保持する。係合部１９は円筒部１８の外周面から径方向外側に突設される。係合部１９は、機構部（図示省略）を備え、円筒部１８の径方向に進退自在に構成される。天井面Ｃには取付穴２３が開口される。本体部２は、天井面Ｃの取付穴２３に円筒部１８が挿入され、係合部１９が円筒部１８の径方向外側に突出されると、取付穴２３の周縁部であって天井面Ｃの上面側に係合部１９が係合されて天井面Ｃに固定される。また、本体部２は、係合部１９が円筒部１８の径方向内側に待避され、天井面Ｃの取付穴２３に円筒部１８が抜き出されると、天井面Ｃから取り外される。
【００２９】
電動送風機収容部１６は水平板部１７の略中心部に設けられる。電動送風機収容部１６には電動送風機２４が収容される。電動送風機収容部１６は、接続口２ａが形成された連通管部２５と、電動送風機２４が収容された収容部本体２６と、排気管部２７とを備える。
【００３０】
連通管部２５は、本体部２の下中央部から上方に向かって直管状に形成される。連通管部２５は、集塵ホース３と収容部本体２６とを連通させる連通路２９を有する。連通管部２５の下端には接続口２ａが形成される。連通管部２５には、集塵ホース係合凹部３０が形成される。連通管部２５に集塵ホース３が挿入されると、集塵ホース３に設けられたクランプ部３１が集塵ホース係合凹部３０に係合される。そうすると、連通管部２５に集塵ホース３が固定される。
【００３１】
収容部本体２６は、電動送風機２４を覆い、筒状に形成される。収容部本体２６の下面部３３には吸込開口３４が形成されて連通路２９に接続される。収容部本体２６の上面部３５には排気開口３６が形成されて排気管部２７に連通される。
【００３２】
電動送風機２４は、吸込口３８を下側、排気口３９を上側に位置させて収容部本体２６に収容される。吸込口３８は収容部本体２６の吸込開口３４に対向させて配置される。収容部本体２６には、電動送風機２４を保持するモータクッション４０が設けられる。モータクッション４０は、収容部本体２６の下面部３３から上方に向けて突設され、電動送風機２４の吸込口３８の周縁部に当接される。モータクッション４０は、電動送風機２４の吸込口３８側と排気口３９側との間を気密に区画するシール部材であり、かつ駆動時の振動を吸収するクッション部材である。モータクッション４０によって、電動送風機２４の吸込口３８は収容部本体２６の吸込開口３４に連通され、電動送風機２４の排気口３９は収容部本体２６の排気開口３６に連通される。
【００３３】
排気管部２７は収容部本体２６の上方に連続させて筒状に形成される。また、排気管部２７は水平板部１７の略中央に一体的に設けられ、水平板部１７の上面よりも上方に突出させて形成される。すなわち、電動送風機収容部１６は排気管部２７を介して取付部１５に保持される。排気管部２７のうち、少なくとも周面部４２の一部は、透明または半透明な部材で構成され、光が透過可能である。具体的には、周面部４２の一部に採光窓（図示省略）が開口され、この採光窓に透明板（図示省略）または半透明板（図示省略）が嵌め込まれる。排気管部２７の周面部４２であって、水平板部１７の上面よりも上方に突出した部分には、本体排気口４３が形成される。電動送風機２４の排気口３９は、収容部本体２６の排気開口３６と本体排気口４３とを順次に経て天井面Ｃの上方の空間（天井裏）に連通される。本体排気口４３から収容部本体２６の排気開口３６を経て電動送風機２４に電力を供給する電動送風機用配線４４が挿通される。本体排気口４３は光触媒を備えた排気フィルタ４５が設けられる。排気フィルタ４５は、酸化チタンなどを含む多孔質セラミックフィルタである光触媒フィルタである。排気フィルタ４５の光触媒は周面部４２を透過する光によって励起される。
【００３４】
照明装置６は、取付部１５を基部として天井面Ｃに着脱自在に取り付けられた直付型の照明装置である。照明装置６は、複数の照明灯４７と、セード４８とを備える。
【００３５】
照明灯４７は、例えば環形蛍光灯である。照明灯４７は、電動送風機収容部１６を中心に同心円状に配置される。照明灯４７は、それぞれ異なる外径を有する複数の蛍光灯を用いても、それぞれ同じ外径を有する複数の蛍光灯を用いても良い。取付部１５の水平板部１７にはホルダ（図示省略）が設けられる。照明灯４７はホルダによって所要の位置に着脱自在に保持される。また、照明灯４７は照明用配線２１に接続される。
【００３６】
セード４８は半透明な合成樹脂などの材料を用いてドーム状に形成され、円筒部１８の下端部に着脱自在に取り付けられる。また、セード４８は、電動送風機収容部１６と照明灯４７とを覆うとともに、照明灯４７から照射された光が部屋Ｒ内に透過するよう形成される。したがって、電動送風機２４に接続された電動送風機用配線４４および照明灯４７に接続された照明用配線２１はセード４８に覆われる。セード４８の下部には、電動送風機収容部１６の連通管部２５が嵌め込まれる連通管用開口４９が形成される。また、セード４８の下部には、集塵ユニット４から送信された信号の受信部５０が設けられる。受信部５０は、電動送風機２４の運転モードを制御する制御部（図示省略）に接続される。
【００３７】
なお、セード４８はドーム状の他に、平面視で三角形や四角形などの多角形状に形成して照明装置を構成しても良い。
【００３８】
図３は、本発明に係る電気掃除機の集塵部および把持部を示した斜視図である。
【００３９】
図３に示すように、集塵ユニット４の把持部１０は、集塵部９から突出させて形成される。操作部１１は、電気掃除機１の使用者が把持部１０を把持した手の親指などで操作可能な位置に設けられる。
【００４０】
操作部１１には、電動送風機２４の運転を開始させる起動スイッチ１１ａと、電動送風機２４の運転を停止させる停止スイッチ１１ｂと、吸込口体１３に設けられた回転清掃体（図示省略）を駆動または停止させるパワーブラシスイッチ１１ｃとが設けられる。操作部１１は起動スイッチ１１ａ、停止スイッチ１１ｂまたはパワーブラシスイッチ１１ｃの操作に伴い電動送風機２４や吸込口体１３の運転状態を制御する信号を送信する送信装置である。把持部１０の後端部には、送信部５１が設けられる。送信部５１は、操作部１１の操作に伴い電気掃除機１の運転状態を制御する信号を本体部２の受信部５０に送信する。送信部５１は、把持部１０に着脱自在に設けても良い。
【００４１】
次に、本実施形態に係る電気掃除機１の掃除動作を説明する。
【００４２】
電気掃除機１は、部屋Ｒの壁面Ｗに設けられた照明用操作部７によって本体部２の照明装置６を駆動できる。照明用操作部７を操作して電力供給状態にすると、照明灯４７が点灯する。また、照明用操作部７を操作して電力遮断状態にすると、照明灯４７が消灯する。
【００４３】
電気掃除機１を用いて掃除をしていないときは、本体部２から集塵ホース３が取り外される。このとき、集塵ホース３と、集塵ユニット４とは、部屋Ｒの所望の位置に収納される。集塵ユニット４は、集塵部９と、延長管１２と、吸込口体１３とを接続したまま収納しても、分離して収納しても良い。
【００４４】
電気掃除機１を用いて掃除をするときは、先ず、電気掃除機１の使用者は部屋Ｒの所望の位置に収納された集塵ホース３と、集塵ユニット４とを取り出す。
【００４５】
次に、電気掃除機１の使用者は本体部２の接続口２ａに集塵ホース３を接続する。さらに、電気掃除機１の使用者は集塵ホース３を集塵ユニット４に接続する。このとき、集塵部９と、延長管１２と、吸込口体１３とが互いに分離されているときは、電気掃除機１の使用者はそれぞれを接続する。
【００４６】
次いで、電気掃除機１の使用者は把持部１０を把持して、吸込口体１３を被掃除面Ｆに配置する。
【００４７】
次に、電気掃除機１の使用者は起動スイッチ１１ａを操作する。そうすると、起動スイッチ１１ａで設定された動作モードに応じて電動送風機２４の運転状態を制御する信号が送信部５１から送信され、受信部５０に受信される。制御部は受信部５０から出力された信号に従い電動送風機２４を駆動する。
【００４８】
電動送風機２４の駆動によって発生した負圧は、連通管部２５、集塵ホース３、集塵部９、延長管１２を順次に経て吸込口体１３に作用する。
【００４９】
次いで、電気掃除機１の使用者は、把持部１０から吸込口体１３に駆動力を加える。そうすると、吸込口体１３は被掃除面Ｆ上を前後に走行する。吸込口体１３は空気とともに被掃除面Ｆの塵埃を吸い込む。
【００５０】
吸込口体１３に吸い込まれた含塵空気は、延長管１２を通過した後、集塵部９の内部に吸い込まれる。
【００５１】
含塵空気に含まれた塵埃は、集塵部９に収容された塵埃分離集塵装置で捕集される。
【００５２】
塵埃が分離された空気は、集塵部９から集塵ホース３、連通管部２５を順次に通過して電動送風機２４に吸い込まれる。電動送風機２４に吸い込まれた空気は排気風となり、収容部本体２６、排気管部２７を通過して本体排気口４３から本体部２の外部、すなわち天井面Ｃの上方に排気される。このとき、排気は光触媒フィルタである排気フィルタ４５を通過する。
【００５３】
掃除が終了すると、電気掃除機１の使用者は停止スイッチ１１ｂを操作して電動送風機２４を停止させる。次いで、電気掃除機１の使用者は、集塵ホース３のクランプ部３１を操作して、本体部２の連通管部２５から集塵ホース３を取り外す。
【００５４】
集塵部９の塵埃分離集塵装置に塵埃が所定量以上に集塵された場合には、電気掃除機１の使用者は集塵部９から塵埃分離集塵装置を取り外して、ごみ箱に塵埃を廃棄する。
【００５５】
本実施形態に係る電気掃除機１によれば、一般的な照明装置が配置される部屋Ｒの天井面Ｃに、照明装置６と電動送風機２４とを一体的に備えた本体部２を配置できる。
【００５６】
すなわち、電気掃除機１では、従来の電気掃除機のように、被掃除面Ｆで掃除機本体を取り回す必要がない。また、電気掃除機１では、掃除機本体の重量が使用者の手に加わったり、掃除機本体に電力を供給する電源コードが家具に引っ掛かったり、走行時に掃除機本体が転倒したりすることがない。したがって、電気掃除機１は、従来の電気掃除機１のような煩わしさがなく、部屋Ｒの隅々まで効率よく掃除できる。
【００５７】
ここで、一般に照明器具は、被掃除部となる略全ての部屋Ｒに配置される。また、照明器具は部屋全体を照らすことができるように天井面Ｃの中央付近に位置される。
【００５８】
すなわち、照明装置６を備えた電気掃除機１は、天井面Ｃの中央付近に位置される。そうすると、電気掃除機１から部屋Ｒの各角における被掃除面Ｆまでの距離は、それぞれ略等しくなる。したがって、電気掃除機１は、集塵ホース３の長さを必要以上に長くすることなく、被掃除面Ｆの隅々まで効率よく掃除できる。
【００５９】
また、照明器具は、建物内のすべての部屋Ｒに配置されるので、照明器具に代えて電気掃除機１を部屋Ｒに容易に配置できる。このとき、部屋Ｒに新たな取付部材などの構造物を設ける必要もない。
【００６０】
さらに、テレビやタンスなどの家具は、通常、壁部Ｗに寄せて設置される。これらの家具は、一般に、照明器具に照らされて他の家具に影を落とすことのないように配置される。したがって、照明装置６を備えた電気掃除機１では、集塵ユニット４を取り回す際に、部屋Ｒに設置された家具が障害にならず、かつ、家具の配置の制約にもならない。
【００６１】
電動送風機２４の排気は、天井面Ｃの上方に吐出されるので、部屋Ｒの室内には電動送風機２４の排気が吐出されることはなく、排気風による塵埃の撒き上げや部屋Ｒ内の空気の汚染を防止できる。また、電動送風機２４の排気は、排気フィルタ４５を通過する時に光触媒の触媒効果によって臭気を分解されるので、天井面Ｃの上方に臭気が溜まることはない。
【００６２】
したがって、本実施形態に係る電気掃除機１は、部屋の隅々まで取り回しやすく、家具等の設置を拘束しない。
【図面の簡単な説明】
【００６３】
【図１】本発明に係る電気掃除機が配置された被掃除部を示した斜視図。
【図２】本発明に係る電気掃除機の本体部を示す縦断面図。
【図３】本発明に係る電気掃除機の集塵部および把持部を示した斜視図。
【符号の説明】
【００６４】
１  電気掃除機
２  本体部
２ａ  接続口
３  集塵ホース
４  集塵ユニット
６  照明装置
７  照明用操作部
９  集塵部
１０  把持部
１１  操作部
１１ａ  起動スイッチ
１１ｂ  停止スイッチ
１１ｃ  パワーブラシスイッチ
１２  延長管
１３  吸込口体
１５  取付部
１６  電動送風機収容部
１７  水平板部
１８  円筒部
１９  係合部
２０  照明配線用穴
２１  照明用配線
２３  取付穴
２４  電動送風機
２５  連通管部
２６  収容部本体
２７  排気管部
２９  連通路
３０  集塵ホース係合凹部
３１  クランプ部
３３  下面部
３４  吸込開口
３５  上面部
３６  排気開口
３８  吸込口
３９  排気口
４０  モータクッション
４２  周面部
４３  本体排気口
４４  電動送風機用配線
４５  排気フィルタ
４７  照明灯
４８  セード
４９  連通管用開口
５０  受信部
５１  送信部
【図１】
2009297293.tif 000003
【図２】
2009297293.tif 000004
【図３】
2009297293.tif 000005